(57)【特許請求の範囲】
【請求項１】
入力した電話番号を一時的に記憶する一時記憶メモリと、
複数の電話帳メモリを有する電話端末装置であって、
前記複数の電話帳メモリそれぞれに対応した複数の電話帳名を表示する表示手段と、
表示した前記電話帳名の中から、発呼した電話番号を登録する電話帳メモリを使用者の指示により選択する選択手段とを有し、
前記一時記憶メモリに記憶した電話番号を発呼後に、前記表示手段により前記複数の電話帳名を表示し、前記選択手段により選択した電話帳メモリに前記電話番号を登録するように構成したことを特徴とする電話端末装置。
【請求項２】
前記一時記憶メモリに記憶した電話番号を発呼後に前記複数の電話帳メモリの中から選択した電話帳メモリに登録するとともに、
前記入力した電話番号に名前および電話番号の関連情報を付加して登録するように構成したことを特徴とする請求項１記載の電話端末装置。
【請求項３】
前記複数の電話帳メモリのうち、一つの電話帳メモリを外部記憶装置に設け、前記外部記憶装置に接続するためのインターフェース手段を備えたことを特徴とする請求項１または２記載の電話端末装置。
【発明の詳細な説明】
【技術分野】
【０００１】
本発明は、電子電話帳を有する電話端末装置に関し、特に発呼した電話番号を電子電話帳に登録するようにした電話端末装置に関する。
【背景技術】
【０００２】
従来の電子電話帳を内蔵した電話機やファクシミリ等の電話端末装置は、購入時には電子電話帳にはデータが登録されておらず、使用者は通常の通話モードから電話帳登録モードに切換えて、電話帳メモリに電話番号を１件づつ登録する作業を行っていた。しかし、購入したばかりで操作に不慣れな状況で、入力ミスをしないように登録作業を慎重に行うのは購入者にとってかなりの負担である。かと言って電子電話帳にデータを登録しない限り、電話の都度、毎回電話番号の全桁を入力する作業を繰返さなければならないので、不便であった。
【０００３】
又、発呼した電話番号を一時的に記憶しておいて再送（リダイヤル）する、いわゆるリダイヤル機能が知られているが、記憶する番号は一件であって１つのメモリに順次上書きしていくものであり、これの改善として、特開平５−１７６０３８号公報のように、一時的に記憶するメモリの数を増やして、発呼した電話番号を発信電話番号履歴として蓄積し、メモリから電話番号を読み出して発呼すると言う方式が提案されている。
【０００４】
また、特開平１０−１２６４８４号公報には、発信履歴におけるメモリの有効利用が提案されている。図１４は、従来の通信端末装置の発信履歴の説明図であり、ここでは発呼処理された相手先の電話番号を、日付、時間と共に発信履歴として履歴記憶部のメモリに記憶される。その際に、図１４のＡに示す実際の発信履歴の中で、ダブッている同一番号は消去して最新の１つだけを、図１４のＢのように記憶するものである。
【発明の開示】
【発明が解決しようとする課題】
【０００５】
しかしながら、従来の電話端末装置では、特開平５−１７６０３８号公報の場合は、メモリに新しいデータを順に追加する一方で、古いデータから順に消去しているので、順に上書きしていくことに変わりがなく、特開平１０−１２６４８４号公報の場合も、メモリが一杯になった時は新しいデータを追加する一方で、古い、あるいは不要になったデータは消去するもので、従来のリダイヤル機能の範疇内の使い方なので、本来、発呼する電話番号には、発呼する時点で将来的に幾度も繰り返し電話する可能性があると判断されるものや、１回限りと予想されるものなどが混在していて、将来的に幾度も電話する可能性がある電話番号は、電話帳に保存しておきたいし、１回限りと予想される電話番号は一定時間経過後の比較的速い時期に、できれば自動的に消去してしまいたいというユーザの要望に答えられる、効率的なデータ管理ができないという問題があった。
【０００６】
そこで、本発明は、発呼時に入力した電話番号を一時記憶して従来からある１回きりのリダイヤルとして利用すると共に、一時記憶した電話番号を発信履歴用の電話帳メモリに登録したり、一時記憶した電話番号を半永久的に保存する電子電話帳に登録したり、必要により電話番号に名前などの関連情報を付加して登録したり、一定時間経過すると登録した電話番号を自動的に消去してしまう時間限定の電話帳メモリに登録するなど、いわば発呼した電話番号の性格を考慮して任意の電話帳メモリに保存できる電話端末装置を提供することを目的としている。
【０００７】
更に、本発明は、従来は上書きにより消去されていた発信電話番号履歴メモリに登録されていた古い電話番号について、バッファメモリに一定時間が経過するまで登録し、一定時間経過後は自動的に消去することにより、複数の電話帳メモリを有機的に組合わせて電子電話帳の利用価値を高める電話端末装置を提供することを目的としている。
【０００８】
更に、本発明は、内蔵の電話帳メモリの他に、電話端末装置に外部接続した外部記憶装置にある電話帳メモリを、内蔵の電話帳メモリと同様に利用できる電話端末装置を提供することを目的としている。
【課題を解決するための手段】
【０００９】
本発明の電話端末装置は、入力した電話番号を一時的に記憶する一時記憶メモリと、複数の電話帳メモリを有する電話端末装置であって、前記複数の電話帳メモリそれぞれに対応した複数の電話帳名を表示する表示手段と、表示した前記電話帳名の中から、発呼した電話番号を登録する電話帳メモリを使用者の指示により選択する選択手段とを有し、前記一時記憶メモリに記憶した電話番号を発呼後に、前記表示手段により前記複数の電話帳名を表示し、前記選択手段により選択した電話帳メモリに前記電話番号を登録するように構成している。この電話端末装置によれば、発呼した電話番号を登録する電話帳メモリを、電話端末装置に設けた複数の電話帳中から任意に選択することができる。
【００１０】
また、本発明の電話端末装置は、発呼後に前記一時記憶メモリに記憶した電話番号を、前記複数の電話帳メモリの中から選択した電話帳メモリに登録するとともに、前記入力した電話番号に名前および電話番号の関連情報を付加して登録するように構成している。この電話端末装置によれば、電話番号を入力して発呼した後に、この電話番号に名前および電話番号の関連情報を付加して登録することができる。
【００１１】
また、本発明の電話端末装置は、前記複数の電話帳メモリのうち一つの電話帳メモリを外部記憶装置に設け、前記外部記憶装置に接続するためのインターフェース手段を備える。この電話端末装置によれば、入力した電話番号を、電話端末装置本体にインターフェース手段を介して接続した外部記憶装置の電話帳メモリに記憶させるのでメモリ容量を増やすことができる。
【発明の効果】
【００１２】
本発明は、電話端末装置で発呼後に、一時記憶メモリに記憶した電話番号を、複数の電話帳メモリの中から選択した電話帳メモリに登録するように構成したので、電話端末装置に設けた複数の電話帳の中からテンキーで入力して電話帳メモリを任意に選択して電話番号を登録できるという効果がある。また、本発明は、電話番号を入力して発呼した後に、入力した電話番号に名前や電話番号の関連情報を付加して登録するようにしたので、発呼したことを確認済みの電話番号に関連情報を付加するだけで関連情報付き電話帳が作成されるという効果がある。また、本発明は、一つの電話帳メモリのデータについて、一定時間が経過したらデータを自動的に消去するようにしたので、例えば、毎晩毎晩自動消去すれば、日々新たな発信履歴のデータを蓄積登録することができるという効果がある。また、本発明は、発信電話番号履歴メモリの容量を越えてオーバーフローした電話番号をバッファメモリに一定時間、登録しておくので、バッファメモリに登録されている一定時間内であれば、発信電話番号履歴メモリから消えた後でも、バッファメモリから電話番号を読出してリダイヤルできるという効果がある。また、本発明は、電話帳メモリの一つをインターフェイスを介して接続した外部記憶装置で構成したので、外部記憶装置を電話帳メモリとして使用することで電話帳メモリの容量を拡張できる効果があり、外部記憶装置として電子手帳、ノートパソコン等の記憶装置に接続すれば、発呼した電話番号を電子手帳、ノートパソコンの記憶装置を利用して電話帳メモリとして使用できる効果がある。また、本発明は、電話番号を登録する電話帳メモリを手動で選択できるので、発呼の都度、発呼した電話番号の性格毎に登録する電話番号を任意に、且つ、容易に選択できるという効果がある。また、本発明は、発呼の都度、予め選択しておいた電話帳メモリに電話番号を自動的に登録できるので、電話端末装置を購入した時など、電話帳データを発呼の都度、自動的に構築できるという効果がある。
【発明を実施するための最良の形態】
【００１３】
以下、本発明の実施の形態について図を参照して詳細に説明する。図１は本発明の第１の実施の形態に係る電話端末装置の回路構成を示すブロック図である。図２は図１に示す電話端末装置の操作面を示す平面図である。図１において、１はアンテナ、２は無線部、３は制御部である。４は制御部３に設けられた符号化／複合化手段、５は同じく制御部３に設けられた音声データ処理手段、６はキー入力信号切替手段、７は表示器の表示内容を切替える表示内容切替手段、８はメモリ自動消去制御手段である。９はテンキーや特殊キーからなるキー入力部、１０はテンキー／スクロール切替スイッチである。１１は記憶部であって、キー入力部から入力される電話番号を一時記憶しておく電話番号一時記憶部１２と４つの電話帳、「電話帳１」、「電話帳２」、「電話帳３」、「電話帳４」、の夫々の電話帳データを記憶する電話帳メモリ１３ａ、１３ｂ、１３ｃ、１３ｄがある。電話帳データとしては少なくとも電話番号データを登録する。その他、１４は表示器、１５はマイクロフォンからなる送話部、１６はスピーカからなる受話部である。
【００１４】
図２において、筐体１７にはアンテナ１、受話部１６、送話部１５、表示器１４、特殊キー１８ａ、１８ｂ、１８ｃ、そしてテンキー１９からなるキー入力部９と、テンキー／スクロール切替スイッチ１０が配置されている。表示器１４に表示されている数字は１１桁の電話番号の表示例を示している。
【００１５】
図３は図１に示す電話端末装置の電話番号の登録動作を示すフローチャートである。図４は図２に示す表示器に電話帳一覧を表示した場合の平面図である。図５は図１に示す電話帳メモリの記憶内容を示す図である。図６は図２に示す表示器に名前を表示した場合の平面図である。図７は図１に示す電話端末装置のスクロール動作のフローチャートである。つぎに以上の各図を参照して動作について説明する。先ず、図３を参照すると、
（１）  電話端末装置の特殊キーの電源ボタン１８ａを押して電源をオンして（Ｓ１）、
（２）テンキー１９より電話番号を入力し、電話番号を電話番号一時記憶メモリ１２に記憶する（Ｓ２）。
（３）通話ボタン１８ｃを押して発呼し（Ｓ３）、
（４）呼出し相手と通話する（Ｓ４）。
（５）その後、電源ボタンと終話ボタンを兼ねる特殊キー１８ａを押して終話する（Ｓ５）。
（６）終話すると図４に示すように、電話装置の表示器１４に「電話帳１」「電話帳２」「電話帳３」「電話帳４」の電話帳名の一覧を４つのブロックとして表示する（Ｓ６）。
【００１６】
ここで「電話帳１」は発信履歴用電話帳として機能するもので、図５のように複数の電話番号を記憶するように複数の記憶領域が設けてあり、新しい電話番号を入力すると古い電話番号を自動的に消去するようにしている。すなわち図５（ａ）で「電話帳１」の電話帳メモリ１３ａに、例えば、「０９０１００００００１」など５件の電話番号が登録されていた時に、テンキー１９で電話番号、「０９０１００００００６」を入力すると、図５（ｂ）のように制御部３の制御により電話番号一時記憶部１２に一時記憶すると共に、電話帳メモリ１３ａから古いデータである「０９０１００００００１」を削除し、代わりに新しいデータである「０９０１００００００６」を追加するようにしている。
【００１７】
「電話帳２」は制御部３内にある時計手段と時刻設定手段（いずれも図示していない。）により、テンキー１９によって任意に設定した時間になると、特定の電話帳メモリの登録内容を自動的に消去するメモリ自動消去手段８によって、一定時間経過時にメモリの登録内容を消去するようにしている。
【００１８】
「電話帳３」は電話番号を順次登録できるようにしている。但し、古い電話番号を自動的に消去するようにはしておらず、１件づつ個別的に消去するようにしている。
【００１９】
「電話帳４」は、電話番号と電話番号に対応した会社名や氏名などの関連情報を付加して登録し、備忘録的に使用できるようにしている。
【００２０】
電話帳を選択する操作はテンキー１９により行う。選択する電話帳が「電話帳１」であれば「１」のテンキー１９ｃを押し、「電話帳２」であれば「２」のテンキー１９ｄを押して選択できるように、マイクロコンピュータからなる制御部３にプログラム設定している。
【００２１】
（７）電話帳一覧の表示後、使用者によって一定時間内にテンキー１９が操作され（Ｓ７）、
かつ、
（８）テンキー１９からの入力が数字情報であれば（Ｓ８）、数字に対応する電話帳を登録先の電話帳として選択する（Ｓ９）。
（９）その後、氏名情報等を付加するのであれば（Ｓ１０）、電話番号を使用者が入力した、例えば、図６に示す「携帯太郎」のような氏名情報と共に、Ｓ９で選択した電話帳に登録が行われる（Ｓ１１）。
【００２２】
（１０）その後、フローチャートではＡ点に移り、更に、他の電話帳に登録するかを判断できるようになっている（Ｓ６）。
（１１）他の電話帳に登録しないのであれば登録のフローから抜け出して、発呼あるいは着呼についての待機状態に移行する（Ｓ１２）。
【００２３】
なお、以上の操作をテンキー１９の機能をスクロール機能に切替えて操作することもできる。すなわち、
（６）電話帳名の一覧が表示器１４に表示されたステップ６の図４に示す状態であるとき、
（７）使用者がテンキー／スクロール切替スイッチ１０を押すと、図１のキー入力信号切替手段６によって、テンキー１９から入力される信号が数字情報からスクロール情報として制御部３で処理される。
（８）すると、テンキー１９からの入力情報は数字情報ではないので（Ｓ８）、テンキー１９の入力情報がスクロール指示情報であることを確認する（Ｓ１３）。スクロール指示情報であれば、スクロールにより特定された電話帳をデータを登録すべき電話帳として選択する（Ｓ１４）。
（９）その後、氏名情報を付加することについては、ステップ１０以下のフローに従って処理される。
【００２４】
電話帳名の一覧を表示した後に、「１」「４」「７」「８」のテンキーのいずれを押すかによって、スクロール方向がどのように指示されるかを、以下に図７のフローチャートにより示す。
（１）押したテンキーが「１」であれば（Ｓ２１）、カーソル２２（図４）は上へ（Ｓ２２）へ移動する。
（２）押したテンキーが「４」であれば（Ｓ２３）、カーソル２２は下へ（Ｓ２４）へ移動する。
（３）押したテンキーが「７」であれば（Ｓ２５）、カーソル２２は左へ（Ｓ２６）へ移動する。
（４）押したテンキーが「８」であれば（Ｓ２７）、カーソル２２は右へ（Ｓ２８）へ移動する。
【００２５】
又、本発明では、図４に示すようにテンキー「１」と「４」を一対として枠２０で囲み、テンキー「７」と「８」を一対として枠２１で囲む表示をしている。テンキー「１」と「４」は元々、上下方向に配置されており、テンキー「７」と「８」は元々、左右方向に配置されていることから、使用者にはテンキー「１」と「４」は上下方向のスクロールキーであり、テンキー「７」と「８」は左右方向のスクロールキーであることが容易に理解される。
【００２６】
又、テンキー「１」・「４」、「７」・「８」に隣接するテンキー「５」を登録すべき電話帳を選択する選択スイッチとして用いている。そのテンキー「５」の周囲にはテンキー「５」が選択スイッチであることを示す枠２３を表示して、他のテンキーと区別している。
【００２７】
なお、図４では表示器１４に表示されている太線の枠がカーソル２２を表し、スクロールキーとしてのテンキー「１」、「４」、「７」、「８」のいずれかを押すことによってカーソル２２は「電話帳１」、「電話帳２」、「電話帳３」、「電話帳４」の間を上下左右方向に移動するようになる。
【００２８】
たとえば、今、図４では「電話帳１」にカーソル２２がある状態を示しているが、この状態で選択スイッチになっている「５」を押すと、登録すべき電話帳として「電話帳１」が選択されることになる。また、図４の「電話帳１」にカーソル２２がある状態でテンキー「８」を押すとカーソル２２は右へ移動して、「電話帳２」にカーソル２２がある状態となる。そこでこの状態で選択スイッチ「５」を押すと、登録すべき電話帳として「電話帳２」が選択される。また、図４の「電話帳１」にカーソル２２がある状態でテンキー「４」を押すとカーソル２２は下へ移動して、「電話帳３」にカーソル２２がある状態となる。さらにこの状態でテンキー「８」を押すとカーソル２２は右へ移動して、「電話帳４」にカーソル２２がある状態となる。そこでこの状態で選択スイッチ「５」を押すと、登録すべき電話帳として「電話帳４」が選択される。このように、テンキー「１」、「４」、「７」、「８」と「５」が互いに近接しているため、本発明によりテンキー「１」、「４」、「７」、「８」をスクロールキーとして用いるので、筐体１７を手の平と親指で挟んで持った場合でも、親指１本の位置を少しずらすだけで操作が可能であるという利点がある。このようにして複数の電話帳メモリの中から、夫々要求に合うように選択した電話帳メモリに、発呼した電話番号を登録することができる。
【００２９】
図８は図１に示す電話端末装置における発呼動作のフローチャートである。次に、図８を参照して電話帳から電話番号を読み出して発呼する場合について説明する。なお、これまでに説明したような手順で、既に、電話帳には電話番号が登録済みの状態にあるものとして説明する。
【００３０】
（１）読出しキー１８ｂを押す（Ｓ１０１）。
（２）すると、制御部３は電話番号一時記憶部１２に一時記憶してある直前に入力された電話番号を表示器１４に表示する（Ｓ１０２）。
（３）通話ボタン１８ｃが押された時は（Ｓ１０３）、表示された電話番号を発呼する（Ｓ１０４）。
（４）もし通話ボタン１８ｃが押されなければ、再度読出しキー１８ｂが押されたかどうか判断する（Ｓ１０５）。
（５）読出しキー１８ｂが押されていない時は通話ボタン１８ｃか読出しキー１８ｂのいずれかが押されるのを監視する。
（６）読出しキー１８ｂが押されると、図４のように、表示器１４に電話帳の一覧を表示する（Ｓ１０６）。
【００３１】
（７）この状態で一定時間内にテンキー１９が押されると（Ｓ１０７）、テンキー１９からの入力が数字情報かどうか確認を行い（Ｓ１０８）、
（８）もし一定時間内にテンキー１９が押されないと待機状態に戻る（Ｓ１０９）。
（９）Ｓ１０８の確認で入力が数字情報であれば、数字情報に対応する電話帳を選択する（Ｓ１１０）。なお、テンキー／スクロール切替スイッチ１０でテンキー１９をスクロールキーとして使うように切替えて表示器１４上でカーソル２２を上下左右にスクロールして電話帳を選択してもよい。
【００３２】
（１０）テンキーの入力が数字情報でなくスクロール指示情報であれば（Ｓ１１１）、スクロールにより特定された電話帳が選択される（Ｓ１１２）。
（１１）電話帳を選択すると、図６のように電話番号と、その関連情報が登録されている時は関連情報も同時に表示器１４に表示される。表示器１４に表示される電話番号は同一の電話帳内に登録されている電話番号が順次表示されるようにしてある。
【００３３】
（１２）本実施の形態では、テンキーをスクロールキーの機能に切替えて、例えば「１」又は「４」等のテンキーを押して表示する電話番号を表示器で上下にスクロールすることができる。そして、発呼したい電話番号を表示させる（Ｓ１１３）。
（１３）表示した電話番号に発呼するには図８のＢ点に移り、通話ボタン１８ｃが押されたら（Ｓ１０３）、発呼する（Ｓ１０４）。
【００３４】
なお、図８のＢ点で通話ボタン１８ｃを押さずに、テンキーでスクロールすれば、表示している電話番号以外の他の電話番号を選択し直すことができる。又、図８のＢ点で、通話ボタン１８ｃを押さずに、呼び出しキー１８ｂを押せば、再び電話帳名の一覧を表示器１４に表示させることができる（Ｓ１０６）ので、他の電話帳の電話番号を選択し直すことができる。以上のように、一旦各種電話帳に登録した電話番号を任意に読出して発呼することができる。
【００３５】
このように、本実施の形態によれば、電話帳メモリを要求に応じて任意に選択することにより、電話端末装置の使い勝手を変えることが可能になる。すなわち、「電話帳１」のメモリに登録した場合は、従来と同じく発呼した電話番号を新しいものから順次追加していくと共に、古いものから次々と消去していくものであり、従来からの発信電話番号履歴としての使い方ができる。
【００３６】
次に、「電話帳２」のメモリに登録した場合は、一定時間経過した時に発信電話番号履歴としてメモリに登録してある電話番号を全て自動的に消去してしまうので、再び、電話する可能性が殆ど無い電話番号を「電話帳２」に登録しておけば、一定時間保存した後にあっさりと整理してしまうことができる。例えば、その日の午後２４時００分に自動的に消去して、日々新たな発信履歴のデータを蓄積登録することが可能である。
【００３７】
次に、「電話帳３」のメモリに登録した場合は、登録したのが古い電話番号から次々と消去していったり、一定時間が経過したらまとめて消去するというものではなく、データを消去するかどうかを１件毎に個別に判断して整理するものであるから、残したい電話番号は半永久的に残せるという使い方ができる。
【００３８】
更に、「電話帳４」のメモリに登録した場合は、電話番号を入力して発呼した際に、発呼確認済みの電話番号についての備忘録的に電話番号に対応する会社名とか氏名を付加して登録することで、発呼の都度、電話帳データ入力と氏名等の登録作業ができてしまうことになる。
【００３９】
これらの各種電話帳メモリの中から、発呼した電話番号の登録先を任意に選ぶことで、夫々異なる使い勝手を使用者は自由に選択できるようになる。また、制御部３に発呼の都度、選択する電話帳メモリを自動的に設定する手段を追加したものは、発呼後に一々「電話帳１」から「電話帳４」のいずれかを手動で選択しなくても、使用者の好みに応じてプリセットした電話帳に自動的に登録することが可能になる。
【００４０】
次に、本発明の第２の実施の形態について図を参照して説明する。図９は本発明の第２の実施の形態に係る電話端末装置の回路構成を示すブロック図である。図１０は図９に示す電話帳メモリの記憶内容を示す図である。図９に示した第２の実施の形態が第１の実施の形態の図１のブロック図と異なる点は、「電話帳２」を「電話帳１」のバッファメモリと位置付けた点である。
【００４１】
図９に示す電話端末装置では、「電話帳１」を登録できる電話番号の数を一定にして、新規に電話番号が登録されると、古い電話番号から消去していく形で、登録と消去の制御を行う電話帳とすると共に、「電話帳２」を登録した電話番号を一定時間経過後に自動的に消去するという制御を行う電話帳にして、「電話帳２」を「電話帳１」のバッファメモリと位置づけ、「電話帳１」から消去しようとしていた古い電話番号を、「電話帳２」に登録し直すように構成したものである。
【００４２】
「電話帳２」が「電話帳１」と並列関係になく、「電話帳１」に従属している関係にある点が図１の場合とは異なっている。従って、この場合は「電話帳１」から消去しようとしていた古い電話番号を「電話帳２」に登録し直して一定時間が経過するまで保存しておくので、以前であれば消してしまっていた古い電話番号を一定時間が経過するまで保存しておくので、古い電話番号も一定時間が経過するまでは読出して発呼することができることになる。
【００４３】
図１０（ａ）、（ｂ）は、電話番号「０９０１００００００６」をテンキーで新規に入力したときに、電話帳一時記憶部１２に「０９０１００００００６」が一時記憶されると同時に、「電話帳１」の電話帳メモリ１３ａから古い電話番号「０９０１００００００１」を「電話帳２」の電話帳メモリ１３ｂに登録し直した後に、電話帳メモリ１３ａに「０９０１００００００６」を追加登録する状況を示している。その後、一定時間が経過すると電話帳メモリ１３ｂに登録し直された「０９０１００００００１」は自動的に消去される。
【００４４】
次に、本発明の第３の実施の形態について図を参照して説明する。図１１は本発明の第３の実施の形態に係る電話端末装置の回路構成を示すブロック図である。図１１に示す第３の実施の形態は、「電話帳４」を内部の電話帳メモリではなく外部記憶装置２５で構成する例であって、電話帳メモリを選択する時に、内蔵されている「電話帳１」「電話帳２」「電話帳３」と同様にインターフェイス２６を介して外部記憶装置２５の「電話帳４」２４が選択される。これによってメモリ容量が拡大される。
【００４５】
次に、本発明の第４の実施の形態について図を参照して説明する。図１２は本発明の落第４の実施の形態に係る電話端末装置の回路構成のブロック図である。図１３は図１２に示す電話端末装置の動作のフローチャートである。図１２に示す第４の実施の形態は、新たに、電話番号を登録する登録先の電話帳を設定する電話帳プリセット手段２７を設けている。これによって、「電話帳１」から「電話帳４」のいずれかを設定しておくことにより、発呼の都度、使用者が予め設定した電話帳に発呼した電話番号を自動登録するようにしている。その他の構成については図１と同一である。
【００４６】
つぎに図１３を参照して電話番号の登録手順について説明する。
（１）電源を入れ（Ｓ２０１）、
（２）電話番号をテンキー入力して電話帳一時記憶部１２に記憶して（Ｓ２０２）、
（３）発呼し（Ｓ２０３）、
（４）通話して（Ｓ２０４）、
（５）終話したら（Ｓ２０５）、
（６）登録先の電話帳がプリセットされているかを確認する（Ｓ２０６）。
【００４７】
（７）電話帳プリセット手段２７によってプリセットされていれば、フローチャートではＣ点に飛び、関連情報を付加する時は（Ｓ２０７）、関連情報を入力して電話番号と共にプリセットされている電話帳に登録する（Ｓ２０８）。
（８）関連情報を付加しない時は電話番号だけをプリセットされている電話帳に登録する（Ｓ２０９）。
（９）その後、フローチャートはＡ点に飛び、更に登録すべき電話帳がプリセットされていなければ（Ｓ２０６）、電話帳名の一覧について選択している電話帳をカーソルで囲んだ形で表示し（Ｓ２１０）、
（１０）一定時間後にテンキーからの入力が無ければ（Ｓ２１１）、待機状態に移る（Ｓ２１２）。
【００４８】
このような、本実施の形態によれば、電話端末装置を購入した時に、電話番号に氏名等の関連情報を付加して登録する「電話帳４」をプリセットしておけば、電話を掛けた都度、関連情報だけを発呼後に追加入力すれば、特別な電子電話帳登録作業をしなくても、通話確認済みの関連情報付き電話帳が出来上がることになる。
【産業上の利用可能性】
【００４９】
本発明は、発呼した電話番号の性格を考慮して任意の電話帳メモリに保存できる電話端末装置として有用である。
【図面の簡単な説明】
【００５０】
【図１】本発明の第１の実施の形態に係る電話端末装置の回路構成を示すブロック図である。
【図２】図１に示す電話端末装置の操作面の平面図である。
【図３】図１に示す電話端末装置の動作のフローチャートである。
【図４】図２に示す表示器に電話帳を表示した時の平面図である。
【図５】図１に示す電話帳メモリの記憶内容を示す図である。
【図６】図２に示す表示器に関連情報を表示した時の平面図である。
【図７】図３に示すスクロール動作を示すフローチャートである。
【図８】図１に示す電話端末装置の発呼動作のフローチャートである。
【図９】本発明の第２の実施の形態に係る電話端末装置の回路構成を示すブロック図である。
【図１０】図９に示す電話帳メモリの記憶内容を示した図である。
【図１１】本発明の第３の実施の形態に係る電話端末装置の回路構成を示すブロック図である。
【図１２】本発明の第４の実施の形態に係る電話端末装置の回路構成を示すブロック図である。
【図１３】図１２に示す電話端末装置の登録動作を示すフローチャートである。
【図１４】従来の通信端末装置の発信履歴の説明図である。
【符号の説明】
【００５１】
１ アンテナ
２ 無線部
３ 制御部
４ 符号化／複号化手段
５ 音声データ処理手段
６ キー入力信号切替手段
７ 表示内容切替手段
８ メモリ自動消去制御手段
９ キー入力部
１０ テンキー／スクロール切替ＳＷ
１１ 記憶部
１２ 電話番号一時記憶部
１３ 電話帳メモリ
１４ 表示器
１５ 送話部
１６ 受話部
１７ 筐体
１８ 特殊キー
１９ テンキー
２０、２１、２３ 枠
２２ カーソル
２５ 外部記憶装置
２６ インターフェィス
２７ 電話帳プリセット手段
【図１】
0003672199.tif 000002
【図２】
0003672199.tif 000003
【図３】
0003672199.tif 000004
【図４】
0003672199.tif 000005
【図５】
0003672199.tif 000006
【図６】
0003672199.tif 000007
【図７】
0003672199.tif 000008
【図８】
0003672199.tif 000009
【図９】
0003672199.tif 000010
【図１０】
0003672199.tif 000011
【図１１】
0003672199.tif 000012
【図１２】
0003672199.tif 000013
【図１３】
0003672199.tif 000014
【図１４】
0003672199.tif 000015